【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
サーバ装置と、前記サーバ装置と通信可能に接続されたクライアント端末装置と、前記クライアント端末装置と通信可能に接続された印刷装置とを有する印刷システムであって、
前記サーバ装置にインストールされているプリンタドライバは、印刷機能を制限するための機能制限情報を含む印刷ジョブを生成する生成手段を有し、
前記クライアント端末装置にインストールされているプリンタドライバは、前記サーバ装置から送信された印刷ジョブに含まれている機能制限情報に基づく印刷機能の制限に従って前記印刷ジョブを処理する処理手段を有することを特徴とする印刷システム。
【請求項２】
前記クライアント端末装置は、前記サーバ装置から送信された印刷ジョブに機能制限情報が含まれているか否かを判定する判定手段を有し、
前記処理手段は、前記判定手段により、印刷ジョブに機能制限情報が含まれていると判定されると、前記機能制限情報に基づく印刷機能の制限に従って前記印刷ジョブを処理することを特徴とする請求項１に記載の印刷システム。
【請求項３】
前記印刷装置は、前記印刷ジョブに基づいて印刷を行う第１の印刷装置と、
前記印刷ジョブを変換することにより得られた描画印刷データに基づいて印刷を行う第２の印刷装置とを含み、
前記クライアント端末装置にインストールされているプリンタドライバは、前記サーバ装置から送信された印刷ジョブをそのまま処理する第１のプリンタドライバと、
前記サーバ装置から送信された印刷ジョブに基づく描画印刷データを処理する第２のプリンタドライバとを含み、
前記クライアント端末装置は、前記サーバ装置から送信された印刷ジョブの出力先となる印刷装置を判別する判別手段と、
前記サーバ装置から送信された印刷ジョブを描画印刷データに変換する変換手段と、
前記判別手段により、前記サーバ装置から送信された印刷ジョブの出力先となる印刷装置が前記第１の印刷装置であると判別されると、前記印刷ジョブを前記第１のプリンタドライバに出力する第１の出力手段と、
前記判別手段により、前記サーバ装置から送信された印刷ジョブの出力先となる印刷装置が前記第２の印刷装置であると判別されると、前記印刷ジョブに含まれている機能制限情報を前記第２のプリンタドライバに出力すると共に、前記印刷ジョブを前記変換手段に出力する第２の出力手段とを有し、
前記第１のプリンタドライバが有する処理手段は、前記第１の出力手段により出力された印刷ジョブに含まれている機能制限情報に基づく印刷機能の制限に従って前記印刷ジョブを処理し、
前記第２のプリンタドライバが有する処理手段は、前記第２の出力手段により出力された機能制限情報と、前記変換手段により得られた描画印刷データとを個別に受け取り、受け取った前記機能制限情報に基づく印刷機能の制限に従って前記描画印刷データを処理することを特徴とする請求項１又は２に記載の印刷システム。
【請求項４】
前記クライアント端末装置は、前記変換手段により印刷ジョブから変換された描画印刷データにＩＤを付加する第１の付加手段と、
前記第２の出力手段により出力される機能制限情報に、前記第１の付加手段により付加されたＩＤと同一のＩＤを付加する第２の付加手段とを有し、
前記第２のプリンタドライバが有する処理手段は、前記ＩＤが付加された描画印刷データ及び機能制限情報を個別に受け取ることを特徴とする請求項３に記載の印刷システム。
【請求項５】
前記第２のプリンタドライバが有する処理手段は、前記サーバ装置から送信された印刷ジョブに含まれている機能制限情報を前記第２の出力手段から受け取ると、そのことを示す通知を前記第２の出力手段に行い、その通知を行った後に、前記変換手段により得られた描画印刷データを受け取ることを特徴とする請求項３に記載の印刷システム。
【請求項６】
前記処理手段は、前記サーバ装置から送信された印刷ジョブに含まれている機能制限情報に基づく印刷機能の制限と矛盾する印刷機能が設定されている場合、前記制限を受ける印刷機能と異なる印刷機能を変更して前記印刷ジョブを処理することを特徴とする請求項１〜５の何れか１項に記載の印刷システム。
【請求項７】
前記処理手段は、前記サーバ装置から送信された印刷ジョブに含まれている機能制限情報に基づく印刷機能の制限と矛盾する印刷機能が設定されている場合、そのことを示すメッセージをユーザに報知し、そのメッセージを報知した後にユーザにより操作された内容に基づいて、前記設定されている印刷機能を変更して前記印刷ジョブを処理することを特徴とする請求項１〜５の何れか１項に記載の印刷システム。
【請求項８】
前記処理手段は、前記サーバ装置から送信された印刷ジョブに含まれている機能制限情報に基づく印刷機能の制限と矛盾する印刷機能が設定されている場合であって、プリセット設定がなされている場合には、そのプリセット設定を解除して前記印刷ジョブを処理することを特徴とする請求項１〜５の何れか１項に記載の印刷システム。
【請求項９】
印刷機能を制限するための機能制限情報を含む印刷ジョブを、サーバ装置にインストールされているプリンタドライバが生成する生成ステップと、
前記生成ステップにより生成された、機能制限情報を含む印刷ジョブをクライアント端末装置に送信する送信ステップと、
前記送信ステップにより送信された印刷ジョブに含まれている機能制限情報に基づく印刷機能の制限に従って、前記クライアント端末装置にインストールされているプリンタドライバが前記印刷ジョブを処理する処理ステップとを有することを特徴とする印刷制御方法。
【請求項１０】
サーバ装置から受信した印刷ジョブをＯＳ描画変換モジュールに送信する送信手段と、
前記印刷ジョブの機能制限情報を含むジョブチケットから機能制限情報を抽出する抽出手段と、
前記抽出手段により抽出された機能制限情報をＯＳ描画用ドライバに送信する送信手段とを有することを特徴とするクライアント端末装置。
【請求項１１】
対象となるドライバがＯＳ描画用ドライバであるか、汎用フォーマット用ドライバであるかを判別する判別手段と、
前記判別手段により対象となるドライバがＯＳ描画用ドライバであると判別された場合、サーバ装置から受信した印刷ジョブをＯＳ描画変換モジュールに送信し、前記印刷ジョブの機能制限情報を含むジョブチケットから機能制限情報を抽出し、抽出した機能制限情報をＯＳ描画用ドライバに送信し、前記判別手段により対象となるドライバが汎用フォーマット用ドライバであると判別された場合、サーバ装置から受信した印刷ジョブを汎用フォーマット用ドライバに送信する送信手段とを有することを特徴とするクライアント端末装置。
【請求項１２】
サーバ装置から受信した印刷ジョブをＯＳ描画変換モジュールに送信する送信ステップと、
前記印刷ジョブの機能制限情報を含むジョブチケットから機能制限情報を抽出する抽出ステップと、
前記抽出ステップにより抽出された機能制限情報をＯＳ描画用ドライバに送信する送信ステップとを有することを特徴とする印刷制御方法。
【請求項１３】
対象となるドライバがＯＳ描画用ドライバであるか、汎用フォーマット用ドライバであるかを判別する判別ステップと、
前記判別ステップにより対象となるドライバがＯＳ描画用ドライバであると判別された場合、サーバ装置から受信した印刷ジョブをＯＳ描画変換モジュールに送信し、前記印刷ジョブの機能制限情報を含むジョブチケットから機能制限情報を抽出し、抽出した機能制限情報をＯＳ描画用ドライバに送信し、前記判別ステップにより対象となるドライバが汎用フォーマット用ドライバであると判別された場合、サーバ装置から受信した印刷ジョブを汎用フォーマット用ドライバに送信する送信ステップとを有することを特徴とする印刷制御方法。
【請求項１４】
サーバ装置から受信した印刷ジョブをＯＳ描画変換モジュールに送信する送信ステップと、
前記印刷ジョブの機能制限情報を含むジョブチケットから機能制限情報を抽出する抽出ステップと、
前記抽出ステップにより抽出された機能制限情報をＯＳ描画用ドライバに送信するための処理を行う送信ステップとをコンピュータに実行させることを特徴とするコンピュータプログラム。
【請求項１５】
対象となるドライバがＯＳ描画用ドライバであるか、汎用フォーマット用ドライバであるかを判別する判別ステップと、
前記判別ステップにより対象となるドライバがＯＳ描画用ドライバであると判別された場合、サーバ装置から受信した印刷ジョブをＯＳ描画変換モジュールに送信するための処理を行い、前記印刷ジョブの機能制限情報を含むジョブチケットから機能制限情報を抽出し、抽出した機能制限情報をＯＳ描画用ドライバに送信し、前記判別ステップにより対象となるドライバが汎用フォーマット用ドライバであると判別された場合、サーバ装置から受信した印刷ジョブを汎用フォーマット用ドライバに送信するための処理を行う送信ステップとをコンピュータに実行させることを特徴とするコンピュータプログラム。